(57)【要約】本願はエアコン室内機及び当該エアコン室内機を応用するエアコンを開示する。前記エアコン室内機は、内部に格納チャンバーを有し、上下方向に沿って延在するベースと前記ベースの下縁部に接続されて下へ延在する弾性板を含む筐体と、前記格納チャンバー内に取り外し可能に設置され、出し入れされる時に前記弾性板に弾性的に当接する風路構造とを含む。【選択図】図１
2021519907.tif 000002
【特許請求の範囲】
【請求項１】
内部に格納チャンバーを有し、上下方向に沿って延在するベースと前記ベースの下縁部に接続されて下へ延在する弾性板を含む筐体と、
前記格納チャンバー内に取り外し可能に設置され、出し入れされる時には前記弾性板に弾性的に当接する風路構造と
を含むエアコン室内機。
【請求項２】
前記エアコン室内機はさらに熱交換器及び前記熱交換器と接続されている管路組立品を含み、前記熱交換器は前記格納チャンバー内に設置され、
前記弾性板は互いに接続されている接続部と区切り部を含み、前記接続部の前記区切り部から離れた一方の側は前記ベースの下縁部に接続され、前記区切り部は前記管路組立品と前記風路構造の間に位置し、前記風路構造が出し入れされる時に前記区切り部及び／又は前記接続部に弾性的に当接する請求項１に記載のエアコン室内機。
【請求項３】
前記区切り部は前記管路組立品に向かって折り曲げられている請求項２に記載のエアコン室内機。
【請求項４】
前記区切り部は前記管路組立品に向かって、前記管路組立品を収容するための収容チャンバーを形成している請求項２に記載のエアコン室内機。
【請求項５】
前記収容チャンバーの内壁が弧状に設置されている請求項４に記載のエアコン室内機。
【請求項６】
前記区切り部の前記接続部から離れた一方の側には、管路組立品の管路ジョイントを露出させるための取付切欠が形成されている請求項２に記載のエアコン室内機。
【請求項７】
前記弾性板と前記ベースとは一体構造であり、
且つ／又は、前記弾性板と前記ベースとは接続箇所において滑らかに繋がる請求項１から６の何れか一つに記載のエアコン室内機。
【請求項８】
前記弾性板は複数設置され、複数の前記弾性板は前記ベースの長さ方向に沿って間隔を空けて設置され、前記風路構造は出し入れされる時には少なくとも一つの前記弾性板に弾性的に当接し、
或いは、前記弾性板は一つ設置され、一つの前記弾性板は前記ベースの長さ方向の中部に位置し、前記風路構造は出し入れされる時に前記弾性板に弾性的に当接し、
或いは、前記弾性板は二つ設置され、二つの前記弾性板は前記ベースの長さ方向の両端に位置し、前記風路構造は出し入れされる時に少なくとも一つの前記弾性板に弾性的に当接する請求項１から６の何れか一つに記載のエアコン室内機。
【請求項９】
前記筐体はさらにフレームと下パネルを含み、前記ベースの上縁部は前記フレームに接続され、前記フレームと、前記ベース及び前記弾性板とで囲んで前記格納チャンバーを形成し、前記下パネルは前記フレームに取り外し可能に取り付けられ、送風口が設けられており、且つ／又は、
前記筐体の背面にはさらに壁掛け板が設置され、前記壁掛け板の前記筐体から離れた一方の側には掛着具が設置されている請求項１から６の何れか一つに記載のエアコン室内機。
【請求項１０】
エアコン室内機及び前記エアコン室内機と繋がっているエアコン室外機を含むエアコンであって、前記エアコン室内機は、
内部に格納チャンバーを有し、上下方向に沿って延在するベースと前記ベースの下縁部に接続されて下へ延在する弾性板を含む筐体と、
前記格納チャンバー内に取り外し可能に設置され、出し入れされる時には前記弾性板に弾性的に当接する風路構造と
を含むエアコン。
【発明の詳細な説明】
【技術分野】
【０００１】
本願は２０１９年３月２９日に提出された、出願番号２０１９１０２５６０４７．７と２０１９２０４３５０４３．０、発明名称「エアコン室内機及びエアコン」である中国特許出願の優先権を主張し、その全文を参考としてここに援用する。
本願はエアコンの技術分野に関し、特にエアコン室内機及び当該エアコン室内機が応用されるエアコンに関する。
【背景技術】
【０００２】
関連技術における壁掛け式エアコン室内機は、クリーニングとメンテナンスを便利にするために、通常では、風路構造を取り外し可能な取付方式で設置している。しかし、風路構造自体が占める空間が大きいため、風路構造の脱着過程において、風路構造の出し入れをその表面を傷つけず且つ自由に行えるよう、エアコン室内機の全体の厚さを大きくしがちである。
【０００３】
上記内容は本願の技術案の理解を助けるために用いられ、上記内容を先行技術だと認めるわけではない。
【発明の概要】
【発明が解決しようとする課題】
【０００４】
本願の主な目的は、風路構造の自由な出し入れを保証するためにエアコン室内機全体の厚さを大きくしてしまう問題を有効に解決するための、エアコン室内機及びエアコンを提供することにある。
【課題を解決するための手段】
【０００５】
上記目的を達成するために、本願が提供するエアコン室内機は、内部に格納チャンバーを有し、上下方向に沿って延在するベースと前記ベースの下縁部に接続されて下へ延在する弾性板を含む筐体と、前記格納チャンバー内に取り外し可能に設置され、出し入れされる時には前記弾性板に弾性的に当接する風路構造とを含む。
【０００６】
本願の一実施例において、前記エアコン室内機はさらに熱交換器と前記熱交換器に接続されている管路組立品を含み、前記熱交換器は前記格納チャンバー内に設置され、前記弾性板は互いに接続されている接続部と区切り部を含み、前記接続部の前記区切り部から離れた一方の側は前記ベースの下縁部に接続され、前記区切り部は前記管路組立品と前記風路構造の間に位置し、前記風路構造は出し入れされる時に前記区切り部及び／又は前記接続部に弾性的に当接する。
【０００７】
本願の一実施例において、前記区切り部は前記管路組立品に向かって折り曲げられている。
【０００８】
本願の一実施例において、前記区切り部は前記管路組立品に向かって、前記管路組立品を収容するための収容チャンバーを形成している。
【０００９】
本願の一実施例において、前記収容チャンバーの内壁は弧状に設置されている。
【００１０】
本願の一実施例において、前記区切り部の前記接続部から離れた一方の側には、管路組立品の管路ジョイントを露出させるための取付切欠が形成されている。
【００１１】
本願の一実施例において、前記弾性板と前記ベースとは一体構造であり、且つ／又は、前記弾性板と前記ベースとは接続箇所において滑らかに繋がっている。
【００１２】
本願の一実施例において、前記弾性板は複数設置され、複数の前記弾性板は前記ベースの長さ方向に沿って間隔を空けて設置され、前記風路構造は出し入れされる時には少なくとも一つの前記弾性板に弾性的に当接し、或いは、前記弾性板は一つ設置され、一つの前記弾性板は前記ベースの長さ方向の中部に位置し、前記風路構造は出し入れされる時に前記弾性板に弾性的に当接し、或いは、前記弾性板は二つ設置され、二つの前記弾性板は前記ベースの長さ方向の両端に位置し、前記風路構造は出し入れされる時に少なくとも一つの前記弾性板に弾性的に当接する。
【００１３】
本願の一実施例において、前記筐体はさらにフレームと下パネルを含み、前記ベースの上縁部は前記フレームに接続され、前記フレームと、前記ベース及び前記弾性板とで囲んで前記格納チャンバーを形成し、前記下パネルは前記フレームに取り外し可能に取り付けられ、送風口が設けられており、且つ／又は、前記筐体の背面にはさらに壁掛け板が設置され、前記壁掛け板の前記筐体から離れた一方の側には掛着具が設置されている。
【００１４】
本願はまたエアコン室内機及びエアコン室内機と繋がっているエアコン室外機を含むエアコンを提案する。前記エアコン室内機は、内部に格納チャンバーを有し、上下方向に沿って延在するベースと前記ベースの下縁部に接続されて下へ延在する弾性板を含む筐体と、前記格納チャンバー内に取り外し可能に設置され、出し入れされる時には前記弾性板に弾性的に当接する風路構造とを含む。
【００１５】
本願の技術案によれば、ベースの下縁部に弾性板を設置することで、風路構造を出し入れする時、風路構造の外壁面は弾性板の表面に弾性的に当接する。この時、弾性板は風路構造から離れる方向へ変形し揺れ動くことで、風路構造が通る空間を作る。風路構造が所定位置から離された後或いは所定位置に取り付けられた後、弾性板は自動的に原状に戻る。風路構造が出し入れされる時に、弾性板が、風路構造が通る空間を作るため、風路構造が自由に通るために十分な空間を設置する必要がなく、さらにはエアコン室内機の機体全体を厚くする必要もなく、これによりエアコン室内機の機体厚さ方向の外観を保証する。
【図面の簡単な説明】
【００１６】
本願実施例及び従来技術の技術案をより明確に説明するため、以下では、実施例或いは従来技術の説明に必要とされる添付図面を簡単に紹介する。下記説明における添付図面が本願の一部の実施例に過ぎないことは明らかであって、当業者にとっては、創造的な労働を行わないことを前提に、これらの添付図面が示す構造により他の添付図面を得ることができる。
【図１】本願のエアコン室内機の一実施例の風路構造を取り除いた後の構造模式図である。
【図２】エアコン室内機の部分分解模式図である。
【図３】エアコン室内機の風路構造が所定位置に取り付けられた時の断面模式図である。
【図４】エアコン室内機の風路構造を引き出した時の断面模式図である。
【図５】エアコン室内機におけるベースと弾性板の一体構造の構造模式図である。
【図６】ベースと弾性板の一体構造のもう一つの角度から見た構造模式図である。
【００１７】
添付図面を参照し、実施例と組み合わせて本願目的の実現、機能特徴及び長所をさらに説明する。
【発明を実施するための形態】
【００１８】
以下では、本願実施例における添付図面と組み合わせ、本願実施例における技術案を明確且つ完全に説明する。説明される実施例は本願の全ての実施例ではなく、本願の一部の実施例に過ぎないことは明らかである。本願における実施例に基づいて、当業者が創造的な労働を行わないことを前提に得られた全ての他の実施例は、本願の保護する範囲に属する。
【００１９】
本願実施例での全ての方向性指示（例えば上、下、左、右、前、後．．．）は、当該方向性指示はある特定の姿勢（添付図面に示す）における各部品間の相対的位置関係、運動状況等を説明するためだけに用いられ、もし当該特定の姿勢が変わる場合、当該方向性指示もそれ相応に変わることは説明すべきである。
【００２０】
本願において、別途明確な規定や限定がない限り、術語「接続」、「固定」などは広義に理解されるべきである。例えば、「固定」は固定的な接続でもよく、取り外し可能な接続でもよく、或いは一体としてもよく、機械的な接続でもよく、電気的な接続でもよく、直接つながってもよく、中間にある媒介によって間接的につながってもよく、二つの素子内部の連通或いは二つの素子の相互作用関係であってもよい。当業者にとって、具体的な状況により上記術語の本願における具体的な意味を理解できる。
【００２１】
また、本願の各実施例の技術案はお互いに組み合わせることができる。ただし、当業者が実現できることがその基礎となる。技術案の組み合わせに矛盾が生じるか、実現できない場合には、このような技術案の組み合わせが存在しない、且つ本願が請求する保護範囲にないと理解すべきである。
【００２２】
本願ではエアコン室内機１００を提案する。
【００２３】
図１から図３を参照すると、本願のエアコン室内機１００の一実施例において、エアコン室内機１００は、内部に格納チャンバー１０ａを有し、上下方向に沿って延在するベース１１とベース１１の下縁部に接続されて下へ延在する弾性板１２を含む筐体１０と、前記格納チャンバー１０ａ内に取り外し可能に設置され、出し入れされる時には弾性板１２に弾性的に当接する風路構造２０とを含む。
【００２４】
具体的に、弾性板１２の材質としては、普通はアクリロニトリル−ブタジエン−スチレンプラスチック或いは耐衝撃性ポリスチレンを選用する。アクリロニトリル−ブタジエン−スチレンプラスチックと耐衝撃性ポリスチレンは何れも高い弾性を持つため、その材質から製造される弾性板１２も高い弾性を有し、風路構造２０がスムーズに出し入れされることに適している。弾性板１２はベース１１の下縁部に接続されて下へ向かって延在し、その接続方法は留め具による接続、或いはねじ接続でもよく、または一体構造でもよい。弾性板１２の形状は矩形、台形或いは他の合理的な形状にでき、ここでは制限しない。風路構造２０は格納チャンバー１０ａ内に取り外し可能に取り付けられ、且つ格納チャンバー１０ａの下部に位置する。風路構造２０の前後方向に沿う断面の外郭を弧状とすることで、風路構造２０をスムーズに脱着させる。風路構造２０を出し入れする時、風路構造２０の外壁面は弾性板１２の表面に弾性的に当接する。この時、弾性板１２は風路構造２０から離れる方向へ変形し揺れ動くことで、風路構造２０が通る空間を作る。風路構造２０が所定位置から離された後或いは所定位置に取り付けられた後、弾性板１２は自らの弾性により自動的に原状に戻る。
【００２５】
このため、本願の技術案によれば、ベース１１の下縁部に弾性板１２を設置することで、風路構造１１を出し入れする時、風路構造２０の外壁面は弾性板１２の表面に弾性的に当接する。この時、弾性板１２は風路構造２０から離れる方向へ変形し揺れ動くことで、風路構造２０が通る空間を作る。風路構造２０が所定位置から引き離された後或いは所定位置に取り付けられた後、弾性板１２が自動的に原状に戻ることは、理解できるであろう。風路構造２０を出し入れする時に、弾性板１２が、風路構造が通る空間を作るので、風路構造２０が自由に通るための十分な空間を設置する必要がなく、さらにはエアコン室内機１００の機体全体を厚くする必要もなく、これによりエアコン室内機１００の機体厚さ方向の外観を保証する。
【００２６】
本願の一実施例において、エアコン室内機１００はさらに熱交換器３０と熱交換器３０に接続されている管路組立品５０を含み、熱交換器３０は格納チャンバー１０ａ内に設置され、弾性板１２は互いに接続されている接続部１２１と区切り部１２３を含み、接続部１２１の区切り部１２３から離れた一方の側はベース１１の下縁部に接続され、区切り部１２３は管路組立品５０と風路構造２０の間に位置し、風路構造２０は出し入れされる時に区切り部１２３及び／又は接続部１２１に弾性的に当接する。
【００２７】
具体的に、熱交換器３０は格納チャンバー１０ａの上部に取り付けられ、しかも風路構造２０の吸気側２０ａに直面し、吸気側２０ａが熱交換器３０と接することで、熱交換を経た後の空気が吸気側２０ａから風路構造２０内に流れて、その後で風路構造２０の送風口２３から流れ出す。管路組立品５０は冷媒導入出管５３と排水管５１を含み、冷媒導入出管５３は熱交換器３０と接続されていることにより、熱交換器３０に冷媒を供給する。弾性板１２は互いに接続されている接続部１２１と区切り板１２３を含み、両者の接続方法は留め具による接続、ねじ接続でもよく、或いは両者は一体構造でもよい。接続部１２１の区切り部１２３から離れた一方の側はベース１１の下縁部に接続されて下へ延び、そして接続部１２１は風路構造２０に向かって僅かに傾いて設置されている。区切り部１２３は接続部１２１の下縁部に接続されて下へ延在し、区切り部１２３は管路組立品５０と風路構造２０の間に位置する。こうして管路組立品５０を保護し、風路構造２０が出し入れされる時に弾性板１２に当接することで管路組立品５０を押して破損する現象の発生を避ける。風路構造２０を出し入れする時、風路構造２０が弾性板１２の接続部１２１及び／又は区切り部１２３に弾性的に当接することにより、接続部１２１と区切り部１２３が管路組立品５０に向かって変形して揺れ動き、風路構造２０が通る空間を作るようにする。
【００２８】
冷媒導入出管５３が、管本体５３１及び管本体５３１の外側を包む保温層５３３を含むことは、説明しておく必要がある。保温層５３３の設置は冷媒管本体５３１に対して保護と保温の役割を果たし、風路構造２０を出し入れする時に弾性板１２が弾性的に管路組立品５０を押すことにより冷媒導入出管５３を破損する現象を引き起こすことを効果的に避ける。
【００２９】
図３と図４を参照すると、エアコン室内機１００の前後方向において、弾性板１２と熱交換器３０との間の最小間隔をＳ１、管路組５０においてパイプの外表面と弾性板１２の板面の間の最小間隔をＳ３、風路構造２０の外郭の最大直径をＳ２と定義すると、Ｓ１＜Ｓ２になり、しかもＳ１＋Ｓ３≧Ｓ２にすることで、弾性板１２の弾性変形が風路構造２０が通る空間を作ることができることを保証する点は、理解できるであろう。
【００３０】
さらに、区切り部１２３は管路組立品５０に向かって折り曲げられている。区切り部１２３は風路構造２０を出し入れする時に管路組立品５０に向かって変形して揺れ動くため、区切り部１２３を管路組立品５０に向かって折り曲げられるように設置することで、弾性板１２の変形過程の強度を保証し、さらに管路組立品５０と熱交換器３０との間の距離を縮めて風路構造２０の通過を保証し、これによりさらにエアコン室内機１００の全体厚さを小さくすることができる。同時に、区切り部１２３を管路組立品５０に向かって折り曲げられるように設置することで、風路構造２０を出し入れする際に案内の役割を果たし、風路構造２０を出し入れする過程をよりスムーズにできる。
【００３１】
さらに、再び図３を参照すると、区切り部１２３は管路組立品５０に向かって管路組立品５０を収容するための収容チャンバーを形成している。
【００３２】
具体的に、区切り部１２３は風路構造２０に向かって凹んで収容チャンバー１２３１を形成し、この収容チャンバー１２３１は管路組立品５０に対応して設置されている。風路構造２０を出し入れする時、区切り部１２３は管路組立品５０に向かって折り曲げられ、これにより管路組立品５０はちょうどこの収容チャンバー１２３１内に収容され、しかも管路組立品５０における一部の管の外壁面は収容チャンバー１２３１のチャンバー壁と密着している。こうして、さらに管路組立品５０と熱交換器３０との間の距離を小さくすることで風路構造２０の通過を保証でき、さらにエアコン室内機１００の全体厚さを小さくし、エアコン室内機１００の機体厚さの外観を保証できる。
【００３３】
さらに、収容チャンバー１２３１の内壁は弧状に設置されている。管路組立品５０中の冷媒導入出管５３或いは排水管５１は何れも円管構造であるため、収容チャンバー１２３１の内壁を弧状構造に設置することで、風路構造２０を出し入れする時に、区切り部１２３は管路組立品５０に向かって折り曲げられ、この時、管路組立品５０中のパイプ外壁は収容チャンバー１２３１のチャンバー壁とよく密着し、さらにエアコン室内機１００の全体の厚さを減少させることができる。好ましくは、収容チャンバー１２３１の内壁は円弧状に設置されている。
【００３４】
再び図１、図５及び図６を参照すると、区切り部１２３の接続部１２１から離れた一方の側には、管路組立品５０の管路ジョイントを露出させるための取付切欠１２３３が形成されている。取付切欠１２３３は区切り部１２３の下縁部に設けられ、管路組立品５０の管路ジョイントはこの取付切欠１２３３により露出する。管路組立品５０の接続管を取り付ける時、人手でこの取付切欠１２３３を通して管路接続操作を行うことができ、操作が便利であるとともに、弾性板１２の製造コストを下げる。
【００３５】
本願の一実施例において、弾性板１２とベース１１とは一体構造である。通常では、両者はモールドにより一体構造に射出成形される。一体構造の設置は有効に弾性板１２の強度を強化できる。同様に、弾性板１２における接続部１２１と区切り部１２３も一体構造である。こうして接続部１２１と区切り部の強度を高めることで、弾性板１２の全体としての強度を高め、さらには弾性板１２が弾性変形により割れる現象の発生を効果的に避け、エアコン室内機１００の構造信頼性を向上させる。
【００３６】
本願の一実施例において、弾性板１２とベース１１とは接続箇所で滑らかに繋がる。弾性板１２を設置する時、弾性板１２とベース１１の下縁部との接続部を滑らかに繋がるように設置することで、さらに弾性板１２の強度を強化し、弾性板１２が弾性変形により割れる現象の発生を効果的に避け、エアコン室内機１００の構造信頼性を向上させる。
【００３７】
本願の一実施例において、弾性板１２は複数設置され、複数の弾性板１２はベース１１の長さ方向に沿って間隔を空けて設置され、風路構造２０は出し入れされる時には少なくとも一つの弾性板１２に弾性的に当接する。ベース１１の下縁部には複数の弾性板１２が設置され、複数の弾性板１２はベース１１の長さ方向に沿って間隔を空けて分布することにより、風路構造１１が出し入れされる時に、少なくとも一つの弾性板１２に弾性的に当接し、少なくとも一つの弾性板１２は管路組立品５０に向かって変形し揺れ動き、風路構造２０が通る空間を作るようにする。これとともに、弾性板の製造コストも省ける。好ましくは、複数の弾性板１２はベース１１の長さ方向に沿って均一に設置され、風路構造２０が出し入れされる時に全ての弾性板１２に弾性的に当接する。こうして、風路構造２０が出し入れされる時に弾性板１２に対する押す力が複数の弾性板１２に分散され、一つの弾性板１２が受ける力は小さい。こうして弾性板１２が弾性変形により割れる現象の発生をより有効に避け、エアコン室内機１００の構造信頼性を向上させることができる。しかも、複数の弾性板１２の設置について、隣接する二つの弾性板１２の間に隙間があり、管路組立品５０の管路ジョイントは隙間から固定できるため、弾性板１２の区切り部１２３に取付切欠１２３３構造を別途設置する必要がなく、弾性板１２の製造フローを簡略化し、その製造効率を向上させる。
【００３８】
複数の弾性板１２とベース１１とは何れも一体構造であることで、それぞれの弾性板１２の強度を強化し、弾性板１２が弾性変形により割れる現象の発生を有効に避け、エアコン室内機１００の構造信頼性を向上させることは、説明しておく必要がある。
【００３９】
本願の一実施例において、弾性板１２は一つ設置され、一つの弾性板１２はベース１１の長さ方向の中部に位置し、風路構造２０は出し入れされる時に弾性板１２に弾性的に当接する。ベース１１の下縁部には一つの弾性板１２が設置され、且つベース１１の下縁部の中部に設置され、風路構造２０が出し入れされる時に、この弾性板１２に弾性的に当接するだけでよく、この弾性板１２は管路組立品５０に向かって変形し揺れ動くことで、風路構造２０が通る空間を作り、風路構造２０のスムーズな出し入れを保証できる。これとともに、一つの弾性板１２の設置も製造コストを省ける。
【００４０】
本願の一実施例において、弾性板１２は二つ設置され、二つの弾性板１２はベース１１の長さ方向の両端に位置し、風路構造２０は出し入れされる時には少なくとも一つの弾性板１２に弾性的に当接する。ベース１１の下縁部の両端にはそれぞれ一つの弾性板１２が設置され、風路構造２０が出し入れされる時に、少なくとも一つの弾性板１２に弾性的に当接するだけでよく、この弾性板１２は管路組立品５０に向かって変形し揺れ動くことで、風路構造２０が通る空間を作り、風路構造２０がスムーズに出し入れされることを保証できる。同様に、管路組立品５０の管路ジョイントは二つの弾性板１２の間から露出でき、弾性板１２の区切り部１２３に取付切欠１２３３構造を別途設置する必要がなく、弾性板１２の製造流れを簡略化し、その製造効率を向上させる。
【００４１】
再び図３と図４を参照すると、筐体１０はさらにフレーム１３と下パネル１４を含み、ベース１１の上縁部はフレーム１３に接続され、フレーム１３と、ベース１１及び弾性板１２とで囲んで格納チャンバー１０ａを形成し、下パネル１４はフレーム１３に取り外し可能に取り付けられ、送風口１４１が設けられている。
【００４２】
具体的に、フレーム１３と、ベース１１及び弾性板１２とで囲んで格納チャンバー１０ａを形成し、熱交換器３０はこの格納チャンバー１０ａの上部に取り付けられ、風路構造２０は格納チャンバー１０ａの下部に取り付けられ、下パネル１４はフレーム１３の下部に取り外し可能に接続され、風路構造２０下部の送風側２０ｂをカバーする。下パネル１４には空気が通る送風口１４１が設けられて、こうして風路構造２０下部の送風口２３から流れ出す空気は当該退避穴から室内に流れて、室内の温度調節を行う。風路構造２０を取り外す必要がある時、まずは下パネル１４を取り外して、そして風路構造２０の取り外しを行う。下パネル１４の設置により、ほこりや小さなごみがエアコン室内機１００の内部に落ちることを有効に防止し、エアコン室内機１００内の部品を一定程度保護できる。
【００４３】
再び図１を参照すると、筐体１０の背面には壁掛け板１５が設置され、壁掛け板１５の筐体１０から離れた一方の側には掛着具１５１が設置されている。エアコン室内機１００を取り付ける時、壁掛け板１５は壁面に密接し、且つ壁掛け板１５上の掛着具１５１は壁面上の対応する嵌合具と係設されることにより、エアコン室内機１００の全体としての取付を完了でき、この取付方法は簡単且つ便利である。
【００４４】
本願は更に、エアコン室内機１００及びエアコン室内機１００と繋がっているエアコン室外機を含むエアコンを提案した。当該エアコン室内機１００の具体的な構造については、上記実施例を参照されたい。本エアコンは上記全ての実施の全ての技術案を採用したため、少なくとも上記実施例の技術案がもたらす全ての有益な効果を有し、ここでは逐一贅言しない。
【００４５】
以上に述べたことは本願の好ましい実施例に過ぎず、それによって本願の特許の範囲を制限するわけではない。本願の発明構想の下で、本願の明細書及び添付図面の内容を利用してなされた等価構造変換、或いは他の関連する技術分野への直接／間接的な応用は、何れも本願の特許の保護範囲に含まれる。
【符号の説明】
【００４６】
１００  エアコン室内機
１０  筐体
１０ａ  格納チャンバー
１１  ベース
１２  弾性板
１２１  接続部
１２３  区切り部
１２３１  収容チャンバー
１２３３  取付切欠
１３  フレーム
１４  下パネル
１４１  送風口
１５  壁掛け板
１５１  掛着具
２０  風路構造
２０ａ  吸気側
２０ｂ  送風側
３０  熱交換器
５０  管路組立品
５１  排水管
５３  冷媒導入出管
５３１  管本体
５３３  保温層
【図１】
2021519907.tif 000003
【図２】
2021519907.tif 000004
【図３】
2021519907.tif 000005
【図４】
2021519907.tif 000006
【図５】
2021519907.tif 000007
【図６】
2021519907.tif 000008
【国際調査報告】
2021519907.tif 000009
2021519907.tif 000010
2021519907.tif 000011
2021519907.tif 000012